(57)【要約】      （修正有）【課題】他の機能を発揮させる屑排出兼ろ過用搬送機に用いられるドラム構造を提供する。【解決手段】切屑の搬送に用いられる１つのコンベヤベルトの一側に設けられており、ドラム構造４の周辺に１つの周面４３を有し、周面４３の上に径方向に向けて伸び出す少なくとも１つのブレード４４が設けられており、ドラム構造４の回動につれて移動し、かつ搬送機の底部と周期的に接触されて、搬送機の底部の切屑の掻き除きに供する。【選択図】図１
0003194520.tif 000002
【実用新案登録請求の範囲】
【請求項１】
屑排出兼ろ過用搬送機に用いられるドラム構造であって、
屑排出兼ろ過用搬送機に設けられており、該搬送機には切屑を搬送するためのコンベヤベルトが設けられており、該ドラム構造は該コンベヤベルトの片側に設けられており、該ドラム構造の周辺は周面を有し、該周面上には径方向に伸び出す少なくとも１つのブレードが設けられており、該ブレードはドラム構造の回動に従って移動され、かつ該搬送機の底部に周期的に接触されて、該搬送機の底部に落ちる切屑を掻き除く屑排出兼ろ過用搬送機に用いられるドラム構造。
【請求項２】
該ドラム構造は筒形を呈する骨格を有し、かつろ過網を該骨格の周辺に環設して該ドラム構造の周面を形成する請求項１に記載の屑排出兼ろ過用搬送機に用いられるドラム構造。
【請求項３】
該ドラム構造は筒形を呈する１つの骨格を含み、該ブレードは固定構造によって該骨格上に固定されており、該ブレードは背中合わせする第１面と第２面を有し、該固定構造はＬ形の第１固定具を含み、該第１固定具の片側が該骨格に固定され、かつ他の片側は該ブレードの第１面に当接して該第１面に固定される請求項１に記載の屑排出兼ろ過用搬送機に用いられるドラム構造。
【請求項４】
該固定構造は第２固定具を更に含み、該第２固定具は該ブレードの第２面上に当接され、かつ固定ボルトにより該第１固定具、該ブレードを貫通して該第２固定具と一体に固定される請求項３に記載の屑排出兼ろ過用搬送機に用いられるドラム構造。
【請求項５】
該コンベヤベルトは積載板が対向する２つのチェーンを接続して構成され、かつ２つの端部は互いに接続してリング状を形成する請求項１に記載の屑排出兼ろ過用搬送機に用いられるドラム構造。
【考案の詳細な説明】
【技術分野】
【０００１】
本考案は、屑排出兼ろ過用搬送機に関し、特に屑排出兼ろ過用搬送機に用いられるドラム構造に関する。
【背景技術】
【０００２】
従来の屑排出兼ろ過用搬送機の内部構造は、台湾の実用新案登録第Ｍ３７２２２７号に示されたように、ワークが切削を行った後に発生する切屑は機テーブルの底部に落ちると、搬送機により排出される。該搬送機にはコンベヤベルトが設けられており、該コンベヤベルトはブレードを動かして切屑を屑排出口に向けて排出させる。一方、切削作業を行う際に切削液を用いて潤滑及び降温作用を果たしているが、切削液は切屑と混合されており、切削液を回収して再利用するために、該従来の装置にはろ過網により構成されるドラム構造が設けられて、切削液をろ過して清潔な切削液を回収している。しかし、切屑はろ過網に残留され、かつドラムの回動に従って、切屑を機テーブルの底部に散らかしてから、上記ブレードを介して切屑を取り除いている。
【考案の概要】
【考案が解決しようとする課題】
【０００３】
上記構造において、ドラム構造は切削液をろ過する機能のみを有し、その回動の動作を利用して他の用途を果たしておらず、非常に残念である。これに鑑みて、該ドラム構造の回動動作により他の機能を発揮させる課題が、本考案で解決しようとする主要な課題である。
【課題を解決するための手段】
【０００４】
本考案の主な目的は、屑排出兼ろ過用搬送機に用いられるドラム構造を提供し、その周面には径方向に向かってブレードが延伸されており、ドラム構造が回動すると同時に、該ブレードは搬送機の底部に周期的に接触することで、搬送機の底部に落ちる切屑を取り除くことができる。
【図面の簡単な説明】
【０００５】
【図１】図１は、本考案の斜視模式図である。
【図２】図２は、本考案で用いられる屑排出兼ろ過用搬送機の斜視模式図である。
【図３】図３は、本考案で用いられる屑排出兼ろ過用搬送機の内部構造図である。
【図４】図４は、本考案で用いられる屑排出兼ろ過用搬送機の他の角度の観察した際の斜視模式図である。
【図５】図５は、本考案の斜視分解模式図である。
【図６】図６は、本考案の平面部分を拡大した模式図である。
【図７】図７は、本考案の使用動作状態を示す図である。
【図８】図８は、本考案の使用動作状態を示す図である。
【考案を実施するための形態】
【０００６】
図１に示されたように、本考案により提供される屑排出兼ろ過用搬送機に用いられるドラム構造は、図２に示される屑排出兼ろ過用搬送機内に設けられている。該搬送機はＣＮＣ加工機システム（図に示さず）に用いられ、コンベヤベルト２で切削によって発生する切屑を排出する。該搬送機はケーシング１を有し、かつケーシング１内にはコンベヤベルト２が設けられており、本実施例において、図３に示されるように、該コンベヤベルト２は積載板２１が接続する２つの対向するチェーン２２により形成されており、ここで、積載板２１は切屑を積載することができ、チェーン２２の動きを用いて切屑を搬送して排出する。該コンベヤベルト２は両端部が互いに接続されてリング状を形成し、かつ駆動装置３によって駆動・回動されて、該コンベヤベルト２を回転させることができる。
【０００７】
本実施例において、該コンベヤベルト２は水平に所定距離ほど延伸された後、更に上方に向かって延伸して傾斜部２４を形成し、該ケーシング１は該傾斜部２４の頂端に第１屑排出口１１（図４を参照）を設けることにより、切屑が該コンベヤベルトによって該傾斜部２４の頂端まで搬送された時、該第１屑排出口１１を介して第１段階の排出を実現することができる。
【０００８】
図３乃至図５に示されるように、本考案のドラム構造４は該コンベヤベルト２の片側に設けられており、具体的に、該ドラム構造４は該コンベヤベルト２の傾斜部２４の下方に設けられ、かつ該駆動装置３により伝動機構５を介して連動される。ここで、該ドラム構造４は筒形の骨格４１を有し、かつろ過網４２が該骨格４１の周辺に環設されることによって、該ドラム構造４の周面４３を形成して、切削液のろ過機能を果たしている。また、切屑は該第１屑排出口１１から排出された後、一部の比較的微細な切屑は依然として該コンベヤベルト２上に残留し、コンベヤベルト２の移動に従って、該第１屑排出口１１を経て搬送機のケーシング１の底部に落ちる。これに対し、該ドラム構造４にはその周面４３に径方向に延伸する少なくとも１つのブレード４４が設けられており、該ブレード４４はドラム構造４の回動に従って移動され、かつ該搬送機の底部と周期的に接触する。これにより、該搬送機の底部に落ちている切屑を取り除くことができ、かつ取り除かれた切屑は図４に示される第２屑排出口１２に搬送されて第２段階での排出が行われる。
【０００９】
図１、図５、図６に示されるように、上記ドラム構造において、該ブレード４４は固定構造５によって該骨格４１に固定されている。該ブレード４４は互いに背中合わせする第１面４４１と第２面４４２を有し、該固定構造５はＬ形の第１固定具５１を含み、該第１固定具５１はＬ形の板片であり、互いに垂直する縦方向部５１１と横方向部５１２を有する。該第１固定具５１はその横方向部５１２で該骨格４１に固定され、かつその縦方向部５１１は該ブレード４４の第１面４４１に当接して該第１面４４１に固定される。上記第１固定具５１の横方向部５１２と該骨格４１との間はネジ５１３によって締め付けられる。また、該固定構造５は第２固定具５２を更に含み、該第２固定具５２も板片で、該ブレード４４の第２面４４２に当接されており、該第１固定具５１の縦方向部５１１と共に該ブレード４４を挟持する。該第１固定具５１の縦方向部５１１、該ブレード４４と該第２固定具５２とは固定ボルト５３の貫通により一体に締め付けられることで、該第１固定具５１の横方向部５１２が該骨格４１に締め付けられて、該ブレード４４が該ドラム構造４の周面４３上に強固に設置されることができる。該ブレード４４の高さは該ドラム構造４の回動過程で該搬送機の底部と十分に接触することができる。
【００１０】
上記構造の組み合わせによって、該ドラム構造を使用する時の動作状態は図７、図８に示されたように、該ブレード４４が該ドラム構造４の回動に従って移動され、かつ該搬送機の底部と周期的に接触することによって、切屑２３が切削され、切屑２３は該ブレード４４に移動される。続いて、該ドラム構造４が継続に回転されて、該ブレード４４が切屑２３を第２屑排出口１２に搬送して排出する。
【００１１】
上記により、該ドラム構造は切削液をろ過する固有の機能を有し、更に回動の動作、該ブレードの設置と合わせて、搬送機の底部の切屑を取り除く新たな効果を別途発生することで、該ドラム構造の効果と利益を向上させる。
【００１２】
以上の実施例の開示は本考案を説明するためのものであり、本考案を制限するものではないため、等価のデバイスの代替も本考案の範囲に属すべきである。
【００１３】
上述により、当業者は本考案が確実に前記目的を達成していることが明らかになっている。
【符号の説明】
【００１４】
１ ケーシング
１１ 第１屑排出口
１２ 第２屑排出口
２ コンベヤベルト
２１ 積載板
２２ チェーン
２３ 金属屑
２４ 傾斜部
３ 駆動装置
４ ドラム構造
４１ 骨格
４２ ろ過網
４３ 周面
４４ ブレード
４４１ 第１面
４４２ 第２面
５ 固定構造
５１ 第１固定具
５１１ 縦方向部
５１２ 横方向部
５１３ ネジ
５２第２固定具
５３固定ボルト  
【図１】
0003194520.tif 000003
【図２】
0003194520.tif 000004
【図３】
0003194520.tif 000005
【図４】
0003194520.tif 000006
【図５】
0003194520.tif 000007
【図６】
0003194520.tif 000008
【図７】
0003194520.tif 000009
【図８】
0003194520.tif 000010